(57)【要約】  【課題】  遊技者にとって大当たり時の入賞球が極めて多く得られる機会と、大当たり時の入賞球が少なくても大当たりの機会が多く得られる様にし、遊技者にとって飽きられること無く、初心者も興趣を持って快適に遊技が行えるようにしたパチンコ機を提供するものである。  【解決手段】  遊技球が遊動する遊技盤に始動入賞口１２と図柄変動表示器８と大入賞口１６とを有し、遊技球が前記始動入賞口１２に入賞することによって図柄変動表示器８の複数の図柄が変動を開始し図柄の変動が停止した際、複数の図柄が揃った場合に大当たりとなって大入賞口１６の開閉扉２７が継続的に開放状態となり、開閉扉２７の開放状態が所定のラウンド回数連続して行われるパチンコ機において、大当たりが得られた際に大入賞口の開閉扉２７が開放状態になるラウンド回数を、予め設定した図柄変動表示器８の変動停止図柄の組合せによって変化して設けた。  【選択図】    図４
2005137424.tif 000002
【特許請求の範囲】
【請求項１】
遊技球が遊動する遊技盤に始動入賞口と図柄変動表示器と大入賞口とを有し、前記遊技球が前記始動入賞口に入賞することによって前記図柄変動表示器の複数の図柄が変動を開始し該図柄の変動が停止した際に前記複数の図柄が揃った場合に大当たりとなって前記大入賞口の開閉扉が継続的に開放状態となり、該開閉扉の開放状態が所定のラウンド回数連続して行われるパチンコ機において、
前記大当たりが得られた際に前記大入賞口の開閉扉が開放状態になるラウンド回数を、予め設定した前記図柄変動表示器の変動停止図柄の組合せによって多くしたり少なくしたり変化して設けたことを特徴とするパチンコ機。
【請求項２】
前記予め設定した停止図柄の組合わせについて、同じ奇数数字の図柄が揃った場合は前記開閉扉の開閉ラウンド回数を多く設定し、同じ偶数数字の図柄が揃った場合は前記奇数数字図柄が揃った場合より開閉ラウンド回数を少なく設定したことを特徴とする請求項１記載のパチンコ機。
【請求項３】
前記図柄が揃って大当たりとなる確率と前記大入賞口の開閉扉が開放状態になるラウンド回数について、前記ラウンド回数が多く設定された停止組合せ図柄が揃う大当たり確率が小さく設定され、前記ラウンド回数が少なく設定された停止組合せ図柄が揃う大当たり確率を大きく設定しされたことを特徴とする請求項１乃至２記載のパチンコ機。
【発明の詳細な説明】
【技術分野】
【０００１】
本発明は、大当たり態様を複数種類備えたパチンコ機に関する。
【背景技術】
【０００２】
第１種パチンコ機は良く知られている。例えば遊技盤に液晶やＬＥＤ等の図柄変動表示器が設けられ、遊技球が始動口に入賞すると、図柄変動表示器の１〜９までの数字又はキャラクター図柄が一斉に変動表示を開始する。この変動表示は例えば左、右、中図柄の順で停止し、停止した図柄が、例えば７７７のように同じ図柄に揃って停止した場合に大当たりとなり、遊技盤に設けられた大入賞口の開閉扉が開放状態になる。
開放状態の大入賞口に遊技球が１０コ入るか、又は遊技球が入らなくとも所定の３０秒間が経過すると、大入賞口の開閉扉が閉じて第１ラウンドが終了する。この第１ラウンド中に大入賞口内に設けられた継続Ｖ入賞口に入賞すると、次の第２ラウンドが始まり、また大入賞口の開閉扉が開かれて第２ラウンドが始まる。第２ラウンド中に更に大入賞口内の継続Ｖ入賞口に入賞すると次の第３ラウンドが始まる。このようにして各ラウンド中に大入賞口内の継続Ｖ入賞口に入賞するのを条件に、最大１６ラウンドまで継続して開かれ、極めて多くの賞球が得られるようになっている。
【０００３】
上記パチンコ機において、図柄変動表示器の変動停止図柄が揃って大当たりの機会が得られる確率設定には一定の制限が設けられており、また大当たり時における上記大入賞口の開閉扉が開放状態になるラウンド回数も一定の制限が設けられており、パチンコ機によって所定の値に設定されている。
また別の遊技機として、開閉可能な大入賞口を遊技盤の上下に配置し、大当たりが発生した際、遊技盤の上下に配置した前記大入賞口が、所定回数を限度として上下の大入賞口が交互に繰り返し開閉するパチンコ機も開示されている。
【０００４】
本願出願の先行技術文献として次のものがある。
【特許文献１】特開２００３―１８１０２９号公報
【発明の開示】
【発明が解決しようとする課題】
【０００５】
上記従来のパチンコ機において、大当たり時のラウンド回数が通常、規定のラウンド回数の最大近辺、例えば１５又は１６ラウンド等、一定のラウンド回数に設定されている。
従って大当たりが得られる図柄変動表示器の複数の図柄が揃う大当たり確率も規定確率内で一定の値に設定されている。このため、図柄が揃って一旦大当たりが得られると極めて多くの賞球が得られるが、その代わり大当たりになる確率が低く一定のため、遊技者にとっては高価な遊技球を長時間に亘って沢山消費しなければ大当たりがなかなか得られなく、遊技の興趣が失われ易く、遊技者に飽きられる問題があった。
【０００６】
本発明はこのような背景と課題に基づいて発明されたものであって、その目的は従来のパチンコ機の長所を生かして、遊技者にとって大当たり時の入賞球が極めて多く得られる機会と、大当たり時の入賞球が少なくても大当たりの機会が多く得られる様にし、遊技者にとって飽きられること無く、初心者も興趣を持って快適に遊技が行えるようにしたパチンコ機を提供するものである。
【課題を解決するための手段】
【０００７】
本発明は、上記の目的を達成するためになされたものであって、即ち本発明の請求項１の発明は、遊技球が遊動する遊技盤に始動入賞口と図柄変動表示器と大入賞口とを有し、前記遊技球が前記始動入賞口に入賞することによって前記図柄変動表示器の複数の図柄が変動を開始し該図柄の変動が停止した際に前記複数の図柄が揃った場合に大当たりとなって前記大入賞口の開閉扉が継続的に開放状態となり、該開閉扉の開放状態が所定のラウンド回数連続して行われるパチンコ機において、
前記大当たりが得られた際に前記大入賞口の開閉扉が開放状態になるラウンド回数を、予め設定した前記図柄変動表示器の変動停止図柄の組合せによって多くしたり少なくしたり変化して設けたことを特徴とするパチンコ機である。
【０００８】
また本発明の請求項２の発明は、前記予め設定した停止図柄の組合わせについて、同じ奇数数字の図柄が揃った場合は前記開閉扉の開閉ラウンド回数を多く設定し、同じ偶数数字の図柄が揃った場合は前記奇数数字図柄が揃った場合より開閉ラウンド回数を少なく設定したことを特徴とするパチンコ機である。
【０００９】
また本発明の請求項３の発明は、前記図柄が揃って大当たりとなる確率と前記大入賞口の開閉扉が開放状態になるラウンド回数について、前記ラウンド回数が多く設定された停止組合せ図柄が揃う大当たり確率が小さく設定され、前記ラウンド回数が少なく設定された停止組合せ図柄が揃う大当たり確率を大きく設定されたことを特徴とするパチンコ機である。
【発明の効果】
【００１０】
上記構成の本発明によれば、図柄変動表示器の変動停止図柄によって、大入賞口が継続して開放状態になるラウンド回数が多様に設定されているため、遊技者にとって大当たり時のラウンド回数が異なるので遊技の興趣が増し、またラウンド回数が少ない場合と多い場合とでは大当たり確率が異なるので従来より大当たりが得られる機会が増し、このためラウンド回数が多く沢山の賞球が得られる機会と、ラウンド回数が少なくとも大当たりの増える機会とが併存して従来より大きな興趣が得られ、さらに多様な大当たり時の賞球数があり、遊技者にとってはパチンコ遊技の興趣が大きく増す。
【発明を実施するための最良の形態】
【００１１】
遊技球が遊動する遊技盤に始動入賞口と図柄変動表示器と大入賞口とを有し、前記遊技球が前記始動入賞口に入賞することによって図柄変動表示器の複数の図柄が変動を開始し該図柄の変動が停止した際に前記複数の図柄が揃った場合に大当たりとなって大入賞口の開閉扉が継続的に開放状態となり、開閉扉の開放状態が所定のラウンド回数連続して行われるパチンコ機において、
前記大当たりが得られた際に前記大入賞口の開閉扉が開放状態になるラウンド回数を、予め設定した前記図柄変動表示器の変動停止図柄の組合せによって多くしたり少なくしたり変化して設けたことを特徴とするパチンコ機で、
前記図柄が揃って大当たりとなる確率と前記大入賞口の開閉扉が開放状態になるラウンド回数について、ラウンド回数が多く設定された停止組合せ図柄が揃う大当たり確率が小さく設定され、ラウンド回数が少なく設定された停止組合せ図柄が揃う大当たり確率を大きく設定したパチンコ機である。
【実施例】
【００１２】
以下、本発明の一実施例を図面に基づいて説明する。
図１はいわゆる第１種パチンコ機１を示し、パチンコ機１は遊技盤２上に設けた外レール４と内レール３とで遊技領域６が形成されている。この遊技領域６の中央部にセンターケース７が設けられ、センターケース７内に図柄変動表示装置８とLED普通図柄表示装置９が設けられている。センターケース７の周りには風車１０、１１が、また下部中央部には、図柄変動表示装置８の図柄変動を開始する始動口１２が、始動口１２の左右にLED普通図柄表示装置9の図柄変動を開始するゲート１３、１３や入賞口１４、１４が設けられている。
【００１３】
始動口１２の下部には、図柄変動表示装置８の図柄が特別な状態で停止した際に大きな賞球が得られる大入賞口１６や、その左右に通常の入賞口１７を一体に設けたアタッカー１５を配置し、その下部に上記いずれの入賞口にも入らずに流下したアウト球を遊技盤２裏面に回収するアウト口１８が配置されている。遊技領域６の左右で内レール３の近傍にサイドランプ１９が、またこれら遊技領域６内には多数の障碍釘２０を所定の配置で打設している。
【００１４】
遊技盤２の下部は、遊技球を発射装置に誘導する遊技球供給皿１ａ、その下部に供給皿１ａの余剰遊技球を貯留する下部遊技球受け皿１ｄ、及び発射装置のハンドル１ｃ等が設けられている。遊技球はハンドル１ｃの操作で発射装置から球通過路5を通って遊技領域6の上部へ発射される。発射された遊技球は、障碍釘２０や風車１０，１１、センターケース７などを経て、例えば始動口１２や入賞口１４、１７へ入賞し、入賞口へ入賞することによって所定数の遊技球が内部の賞球払い出し装置から払い出される。
【００１５】
大入賞口１６は、図１、図２に示すように遊技盤の始動口の下部に設けられた長方形状の入賞口で、図２で示す一例の取付基板２１の前方に向けて開閉扉２７が軸受け２５、２５に支持され、取付基板２１の裏面にて電動開閉装置のソレノイド２８で開閉制御可能に設けられて前方に向けて開閉する構造になっている。また大入賞口１６内には継続して開閉扉２７が開く権利が得られる継続Ｖ入賞口２２やＶ入賞口２２に入賞した遊技球を検出するためのＶ入賞口検出スイッチ２３が設けられている。
【００１６】
図３は遊技球制御回路基板に設けられる遊技制御ブロック図である。遊技機本体内には、遊技球制御回路２５を設けてあり、この遊技球制御回路２５は、大当たり判別手段を有す遊技制御手段と、液晶などの図柄変動表示器８の表示器駆動手段と、効果音発生手段と、大入賞口１６の開閉扉２７を制御する開閉駆動手段などからなる。
このうち遊技制御手段（大当たり判別手段）には、始動入賞口１２内に設けられた始動入賞口スイッチ２６、始動入賞球計数スイッチ２４、継続Ｖ入賞口スイッチ２３からそれぞれ遊技球入賞の電気信号を受ける。また遊技制御手段（大当たり判別手段）からの指令信号により、前記図柄変動表示器８、大入賞口の開閉扉２７を開閉制御するソレノイドからなる電動開閉装置２８および賞球払出装置、効果音発生装置３４等がそれぞれ作動するようになっている。
【００１７】
図４は本発明実施例のパチンコ機のフローチャート図である。本実施例では１つのパチンコ機で大当たりのパターンによって２種類のラウンド回数を設定した実施例を説明する。まずステップａにて始動入賞口２６に入賞するとステップｂにて図柄変動表示器７の図柄が変動を開始する。表示図柄は１〜９迄の数字や各種キャラクターなどの図柄が設定されている。本実施例では分かり易く数字の場合を例にとって説明する。図柄変動は数秒乃至数十秒間各種興趣のある動きで変化した後、ステップｃで図柄変動が停止し、その停止図柄が例えば図５で示すように５５５のごとくステップｄで同じ図柄で停止した場合、ステップｄ’で停止図柄が奇数か、偶数か判別され、奇数の場合はステップｅの大当たり１となり、ステップｆで大入賞口１２の開閉扉２７が電動開閉装置２８の作動によって開放状態になる。
【００１８】
開放状態の大入賞口１２に例えば遊技球が１０個入賞するか、或いは開放状態が３０秒間経過するとステップｈの第１ラウンドが終了し、大入賞口の開閉扉が一旦閉じる。この大入賞口１６が開放中にステップｉで大入賞口内の継続Ｖ入賞口２２に入賞した場合、ラウンド開閉回数がステップｊで判別され予め設定した所定のラウンド回数１６回に達してない場合は、ステップｆに戻って次の第２ラウンドが始まり大入賞口１２が開放する。第２ラウンド開放中に継続Ｖ入賞口２２に入賞すると再びステップｊからステップｆに戻って第３ラウンドが始まり、以下同様に大入賞口１６の開閉扉２７の開放状態が大当たり１での所定ラウンド回数１６ラウンドになるまで繰り返して行われ、多くの入賞球が得られる。
【００１９】
またステップｄ’で図柄変動表示器８の停止図柄が例えば６６６のように偶数数字で停止した場合、ステップｄ’から右のフローのステップｏへ進み、大当たり２の状態になる。前記大当たり１と大当たり２との違いは、ステップｊとｔで判別するラウンド回数の違いで、大入賞口１２の開放状態が１６回と６回に設定した点の違いである。即ちステップｄ’で３列とも同じ図柄で停止した停止図柄が６６６のように偶数数字の場合は、ステップｔで大当たりが６ラウンドまでカウントされて終了するよう設定されている。
この偶数数字が３列揃って停止する大当たり２の確率は、前記奇数数字で揃って揃って大当たり１の確率より少なくとも２倍高く設定してあり、ラウンド回数が少ない大当たり２の方が確率が高く、大当たり２が得られ易いように設定してある。
【００２０】
前記実施例では、大当たり時のラウンド回数の設定を２種類としたが、更に複数種類に設定しても良く、また揃った図柄の数字に応じて例えば１１１の場合は１ラウンドとし、２２２の場合は２ラウンド、９９９の場合は９ラウンド、キャラクタ図柄が揃って停止した場合は１５ラウンドとなるように図柄の組合せ種類に応じてラウンド回数が多様に変化するように設定することも可能である。
このように１台のパチンコ機に複数の大当たり遊技状態を形成することによって、従来失われがちであった遊技の興趣が増すとともに、初心者であっても快適に楽しく遊技が行えるものである。
【産業上の利用可能性】
【００２１】
パチンコ遊技機であって、特に遊戯盤に液晶やＬＥＤ、文字盤が変化する図柄変動表示器を備えたパチンコ遊技機に最適なものである。
【図面の簡単な説明】
【００２２】
【図１】本発明の一実施例を示すパチンコ機の正面図である。
【図２】本発明の一実施例を示すパチンコ機の大入賞口１６を示す斜視図である。
【図３】本発明の一実施例を示すパチンコ機の遊技制御ブロック図を示す。
【図４】本発明の一実施例を示すパチンコ機のフローチャートである。
【図５】本発明の一実施例を示すパチンコ機の図柄変動表示器８の表示例である。
【符号の説明】
【００２３】
１  パチンコ遊技機                        ２  遊技盤
３  内レール                              ４  外レール
５  通路                                  ６  遊技領域
７  センターケース傘                      ８  図柄変動表示装置
９  普通図柄表示装置                      １０、１１  風車
１２  始動入賞口                          １３  ゲート
１４、１７  普通入賞口                    １５  アタッカー装置
１６  大入賞口                            １８  アウト口
１９  サイドランプ                        ２０  障碍釘
１ａ  上受け皿                            １ｄ  下受け皿
【図１】
2005137424.tif 000003
【図２】
2005137424.tif 000004
【図３】
2005137424.tif 000005
【図４】
2005137424.tif 000006
【図５】
2005137424.tif 000007